(57)【要約】  エレベーターの内部ボタンと階を示すデータがモニター上に表示され、タッチ・スクリーンが前記モニターの前面に取り付けられているとともに、前記モニターの特性を利用して文字/画像データが提供されていて、乗員がエレベーターを便利に使用できるようになっているエレベーター制御用タッチ・スクリーン装置。前記タッチ・スクリーンは、スイッチ操作要件と階床表示要件を満たし、多様な文字/画像データを提供し、さらに、従来型装置によっては達成できないその他のデジタル機能を提供する。
2008532892.tif 000002
【特許請求の範囲】
【請求項１】
下記を含むエレベーター制御用タッチ・スクリーン装置。
現在エレベーターが通過中の階、エレベーターの運行データ、現在時間、建物の各階に関連するデータなどの文字/画像データを表示し、建物内の重要事項、特別注意事項及び誘導マニュアルを人々がエレベーターに搭乗する際に正式にアナウンスするためのボックスの中央部分に設置された液晶モニター表示装置を含むエレベーター制御用タッチ・スクリーン装置と、
前記液晶モニター表示装置の前面に強化ガラスを用いて取り付けられ、階ボタン、ドア開ボタン及びドア閉ボタンを含み、インターホンスピーカーの音量と前記液晶モニター表示装置の画面の輝度と明るさを調節するためのボタンを含むタッチ・スクリーン入力装置と、
エレベーターを制御するために必要な基礎データ及び撮影された動画と静止画像を保存するためのメインメモリとサブメモリと、
エレベーターの運行データを内部通信装置を介して受信するとともに、前記タッチ・スクリーン入力装置からのデータを受信し、必要な画像を前記液晶モニター表示装置上に形成し、前記液晶モニター表示装置上に表示された前記画像に関連するデータを外部装置との通信によって外部通信装置を介して入出力し、かつ、エレベーターの故障時にはエラーコードをエレベーターのメインコントローラから受信してエラーメッセージを前記液晶モニター表示装置上に表示すると同時に、緊急信号を前記外部通信装置を介して伝送するコントローラと、
前記液晶モニター表示装置を外部インターネットに接続し、気象データとニュースを乗員にリアルタイムで伝送し、緊急事態発生時には、インターホンを直接にエレベーター管理会社に接続するか、またはエレベーター管理会社にエレベーター故障が発生したかどうかを自動的に通知する前記外部通信装置と、
電源とエレベーターのメインコントローラからの通信データを前記コントローラに入出力する前記内部通信装置と、
エレベーターの内部状態を監視するためのモニターカメラを含み、特定のボタンが登録されるたびに静止画像を撮影し、前記撮影画像を前記サブメモリに伝送して、前記画像が前記サブメモリに保存できるようになっているカメラ入力装置と、前記サブメモリに保存された前記画像データまたは前記コントローラの制御を行うことによって前記外部通信装置から前記液晶モニター表示装置上に出力された前記画像データを再生するための動画再生装置と、前記インターホンスピーカーを含む前記インターホン。
【請求項２】
前記タッチ・スクリーン入力装置が超音波方式によって作動されることを特徴とする請求項１に記載のタッチ・スクリーン装置。
【請求項３】
前記コントローラが前記液晶モニター表示装置を制御して、エレベーターが指定時間使用されない場合、屋内照明のスイッチがオフになるとともに、前記液晶モニター表示装置がオフにできるようになっていることを特徴とする請求項１に記載のタッチ・スクリーン装置。
【請求項４】
前記タッチ・スクリーン入力装置の該当階ボタンが短時間押された時と同時に、前記液晶モニター表示装置が事前に登録された該当階のデータを短時間表示することを特徴とする請求項１に記載のタッチ・スクリーン装置。
【請求項５】
緊急事態発生時には、前記液晶モニター表示装置がバックライトのスイッチをオンにし、誘導メッセージを出力し、エレベーターのドアが開けられた際、ドアが開けられてから閉じるまでの残存時間を表示することを特徴とする請求項１に記載のタッチ・スクリーン装置。
【請求項６】
エレベーターの運行方向と同方法及び逆方法の外部ボタンが登録されると、前記液晶モニター表示装置が前記ボタンの登録を前記階ボタン部上に表示することを特徴とする請求項１に記載のタッチ・スクリーン装置。
【請求項７】
前記液晶モニター表示装置がエレベーターの移動軌道を表示し、エレベーターが通過した階ボタンの表示を消去することを特徴とする請求項１に記載のタッチ・スクリーン装置。
【発明の詳細な説明】
【技術分野】
【０００１】
本発明は、エレベーター制御用装置に関するものであり、特に、エレベーターの内部ボタンと階を示すデータがモニター上に表示され、タッチ・スクリーンが前記モニターの前面に取り付けられているとともに、前記モニターの特性を利用して文字/画像データが提供されているため、乗員がエレベーターを便利に使用できるようになっているエレベーター制御用タッチ・スクリーン装置に関するものである。
【背景技術】
【０００２】
図１は従来型エレベーター制御用装置を図解するものである。図１に示すように、ケース８は、エレベーター内壁の片側に配置されている。行き先階表示装置１、インターホンスピーカー２、呼び出しボタン３、行き先階ボタン４、ドア閉ボタン５、ドア開ボタン６、及び手操作スイッチボックス７が前記ケース８に設けられている。また、上記ボタン３、４、５及び６のそれぞれには、ランプ、スイッチ、及びカバーが含まれる。
【０００３】
かかる従来型装置は、前記ボタン３、４、５、及び６のスイッチからの圧力信号を検知し、前記信号をエレベーターのメインコントローラに伝送するとともに、前記ランプをオンにさせることにより前記信号を確認する。
【０００４】
前記行き先階表示装置１は、出力信号としてバーランプまたはＬＥＤランプをオンにさせ、それによってエレベーターの運行方向とエレベーターの現位置データを示すとともに、エレベーターの検査時や乗員の最大定員超過時にはランプをオンにさせる。しかしながら、上記の従来型装置では、機械的接点を持つ前記スイッチや前記ランプが故障している可能性や、確認性が低い可能性があり、さらにエレベーターが設置される建物の階数に応じて前記ケースに種々の規格やサイズが生じてしまう可能性が高いので、製造に支障がある。さらに、従来型装置にはさまざまな種類のボタンがあるので、従来型装置は製造に不都合であり、製造コストも高くつく。
【０００５】
従来型装置では、スピーカーを除いてエレベーター内に別個の誘導装置が取り付けられていない。よって、高齢者や弱者がエレベーター内に閉じ込められるような緊急事態時に、かかる乗員らは、そのような緊急事態に対処する方法が分からずに動顛するので、二次事故の危険性に晒される可能性もある。
【特許文献１】韓国特許第１００３７８１３０号
【発明の開示】
【発明が解決しようとする課題】
【０００６】
したがって、本発明は、上記問題点に鑑みてなされたものであって、スイッチ操作要件と階表示要件を満たし、多様な文字/画像データを提供するとともに、タッチ・スクリーンを通して従来型装置によっては達成できないその他のデジタル機能をさらに提供する、乗員がエレベーターを便利に使用できるようになっているエレベーター制御用タッチ・スクリーン装置を提供することが本発明の目的である。
【課題を解決するための手段】
【０００７】
本発明の態様によれば、上記及び他の目的は、下記を提供することによって達成可能である。
【０００８】
現在エレベーターが通過中の階、エレベーターの運行データ、現在時間、建物の各階に関連するデータなどの文字/画像データを表示し、建物内の重要事項、特別注意事項及び誘導マニュアルを人々がエレベーターに搭乗する際に正式にアナウンスするための、ボックスの中央部分に設置された液晶モニター表示装置を含むエレベーター制御用タッチ・スクリーン装置と、
前記液晶モニター表示装置の前面に強化ガラスを用いて取り付けられ、階ボタン、ドア開ボタン及びドア閉ボタンを含み、インターホンスピーカーの音量と前記液晶モニター表示装置の画面の輝度と明るさを調節するためのボタンを含むタッチ・スクリーン入力装置と、
エレベーターを制御するために必要な基礎データ及び撮影された動画と静止画像を保存するためのメインメモリとサブメモリと、
エレベーターの運行データを内部通信装置を介して受信するとともに、前記タッチ・スクリーン入力装置からのデータを受信し、必要な画像を前記液晶モニター表示装置上に形成し、前記液晶モニター表示装置上に表示された前記画像に関連するデータを外部装置との通信によって外部通信装置を介して入出力し、かつ、エレベーターの故障時にはエラーコードをエレベーターのメインコントローラから受信してエラーメッセージを前記液晶モニター表示装置上に表示すると同時に、緊急信号を前記外部通信装置を介して伝送するコントローラと、
前記液晶モニター表示装置を外部インターネットに接続し、気象データとニュースを乗員にリアルタイムで伝送し、緊急事態発生時には、インターホンを直接にエレベーター管理会社に接続するか、またはエレベーター管理会社にエレベーター故障が発生したかどうかを自動的に通知する前記外部通信装置と、
電源とエレベーターのメインコントローラからの通信データを前記コントローラに入出力する前記内部通信装置と、
エレベーターの内部状態を監視するためのモニターカメラを含み、特定のボタンが登録されるたびに静止画像を撮影し、前記撮影画像を前記サブメモリに伝送して、前記画像が前記サブメモリに保存できるようになっているカメラ入力装置と、前記サブメモリに保存された前記画像データまたは前記コントローラの制御を行うことによって前記外部通信装置から前記液晶モニター表示装置上に出力された前記画像データを再生するための動画再生装置と、前記インターホンスピーカーを含む前記インターホン。
【発明の効果】
【０００９】
本発明のエレベーター制御用タッチ・スクリーン装置は、スイッチ操作要件と階床表示要件を満たし、多様な文字/画像データを提供し、さらに、従来型装置によっては達成できないその他のデジタル機能をタッチ・スクリーンを通して提供するとともに、乗員がエレベーターを便利に使用することを可能にする。
【発明を実施するための最良の形態】
【００１０】
これから、本発明の好適な実施形態を、添付図面を参照して詳細に説明する。
【００１１】
図２は、本発明に係るエレベーター制御用タッチ・スクリーン装置のブロック図であり、
図２に示すように、本発明のタッチ・スクリーン装置に含まれるのは、タッチ・スクリーン入力装置１００、手動スイッチ入力装置１１０、メインメモリ１２０、サブメモリ１３０、ＣＰＵ１４０、液晶モニター表示装置１５０、外部通信装置１６０、内部通信装置１６２、カメラ入力装置１７０、動画再生１８０、及びインターホン１９０である。
【００１２】
前記超音波式タッチ・スクリーン入力装置１００は、強化ガラスを用いて前記液晶モニター表示装置１５０上に取り付けられており、階ボタン、ドア開ボタン及びドア閉ボタンを含み、さらに、該当階ボタンが短時間押された時と同時に保存された該当階に関連するデータを短時間表示するためのボタン、後述するインターホンスピーカー１９１の音量を調節するためのボタン、及び前記液晶モニター表示装置１００の画面の輝度と明るさを調節するためのボタンを含む。
【００１３】
前記メインメモリ１２０と前記サブメモリ１３０は、エレベーターを制御するために必要な基礎データと以前に撮影された動画または静止画像を保存する。前記ＣＰＵ１４０は、エレベーターの運行データを前記内部通信装置１６２を介して受信するとともに、前記タッチ・スクリーン入力装置１００からのデータを受信し、次いで必要な画像を前記液晶モニター表示装置１５０上に形成し、前記液晶モニター表示装置１５０上に表示された前記画像に関連するデータを外部装置との通信によって前記外部通信装置１６０を介して入出力し、エレベーターが指定時間使用されない場合には、内部照明のスイッチを切るとともに前記液晶モニター表示装置１５０がオフになるように前記液晶モニター表示装置１５０を制御し、さらにエレベーターの故障時には、エラーコードをエレベーターのメインコントローラから受信し、エラーメッセージを前記液晶モニター上に表示し、かつ緊急信号を前記外部通信装置１６０を介して伝送する。
【００１４】
前記液晶モニター表示装置１５０は、ボックス２０１の中央部分に取り付けられ、現在エレベーターが通過中の階、エレベーターの運行データ、現在時間、各階に関連する建物データなどの文字/画像データを表示し、建物内の重要事項、特別注意事項、及び誘導マニュアルを人々がエレベーターに搭乗する際に正式にアナウンスし、該当階ボタンが短時間押された時と同時に前記ＣＰＵ１４０の制御を行うことによって保存された該当階に関連するデータを短時間表示し、バックライトのスイッチをオンにし、緊急事態発生時には誘導メッセージを出力し、エレベーターのドアが開かれてからそのドアが閉じるまでの残存時間を表示し、エレベーターの運行方向と同方法及び逆方法の外部ボタンが登録されると、前記ボタンの登録を前記階ボタン部上に表示し、かつエレベーターの移動軌道を表示し、エレベーターが通過した階ボタンの表示を消去する。
【００１５】
前記液晶モニター表示装置１５０を外部インターネッにト接続する前記外部通信装置１６０は、リアルタイムで気象データとニュースを乗員に伝送し、緊急事態発生時には、前記内部インターホン１９０を直接にエレベーター管理会社に接続するか、またはエレベーターが故障しているかどうかを自動的にエレベーター管理会社に通知する。前記内部通信装置１６２は、電源とエレベーターのメインコントローラからの通信データを前記ＣＰＵ１４０に入出力する。
【００１６】
前記カメラ入力装置１７０は、エレベーターの内部状態を監視するためのモニターカメラ１７１を含み、特定のボタンが登録されるたびに静止画像を撮影し、前記撮影画像が前記サブメモリ１３０に保存されるように、前記撮影画像を前記サブメモリ１３０に伝送する。
【００１７】
前記動画再生１８０は、前記サブメモリ１３０に保存された動画に関連するデータまたは前記外部通信装置１６０から入力された動画に関連するデータを前記ＣＰＵ１４０の制御を行うことによって前記液晶モニター表示装置１５０上に再生する。前記インターホン１９０は前記インターホンスピーカー１９１を含む。
【００１８】
図３は、本発明の実施形態に係るエレベーター制御用タッチ・スクリーン装置の正面図であり、図４は、図３のタッチ・スクリーン装置の側面図である。
【００１９】
図３及び図４に示すように、前記液晶モニター表示装置１００は、エレベーター内壁の指定部分に配置された前記ボックス２０１の中央部分に取り付けられており、前記超音波式タッチ・スクリーン入力装置
１５０は、前記液晶モニター表示装置１００の前面上に強化ガラスを用いて取り付けられている。
【００２０】
前記液晶モニター表示装置１５０は、現在エレベーターが通過中の階、エレベーターの運行データ、現在時間、各階に関連する建物データなどの文字/画像データを表示し、建物内の重要事項、特別注意事項、及び誘導マニュアルを人々がエレベーターに搭乗する際に正式にアナウンスする。
【００２１】
前記タッチ・スクリーン入力装置１００は、前記階ボタン、前記ドア開ボタン１０３及び前記ドア閉ボタン１０２を含み、さらに、該当階ボタンが短時間押された時と同時に保存された該当階のデータを短時間表示するための前記ボタンを含むので、デパートなどの建物を最初に訪れる人が前記表示データを有用に使用できるようになっている。前記ボックス２０１は、ステンレススチール、アルミニウム、またはプラスチック製である。前記ボックス２０１の材質は特に限定されない。
【００２２】
手操作スイッチボックス２００及び前記インターホンスピーカー１９１は、前記タッチ・スクリーン入力装置１００の外部に取り付けられ、エレベーターの内部状態を監視するための前記モニターカメラ１７１は、前記タッチ・スクリーン入力装置１５０の上に取り付けられる。
【００２３】
呼び出しボタン１９２及び前記ドア開ボタン１０３は、前記タッチ・スクリーン入力装置１００内に設置されてもよいが、エレベーター特性の観点から、前記呼び出しボタン１９２及び前記ドア開ボタン１０３が前記タッチ・スクリーン入力装置１５０の外部に配置されることが望ましい。前記モニターカメラ１７１のパネルと前記液晶モニター表示装置１００は、エレベーターの乗員が最適な角度で都合よく前記ボタンを押すことができ、必要なデータを見ることができるように、必要に応じて指定角度に傾斜させる。
【００２４】
以下、本発明による装置のハードウェア配置構成を詳細に説明する。
【００２５】
電源とエレベーターのメインコントローラからのデータを入出力するための前記内部通信装置１６２が取り付けられている。前記内部通信装置１６２は、前記液晶モニター表示装置１５０、前記タッチ・スクリーン入力装置１００、前記手動スイッチ入力装置１１０、前記インターホン１９０、前記ドア開ボタン１０３、及び音声誘導装置（図示せず）から供給される入出力信号を、デジタル信号に圧縮し、次いで前記信号をエレベーターのメインコントローラと通信する。
【００２６】
この実施形態のタッチ・スクリーン入力装置１００では、最も安定し耐衝撃性の高い超音波方式を採用しているが、前記タッチ・スクリーン入力装置１００には他の方法を利用してもよい。従来型タッチ・スクリーンは、それぞれの座標から生成された信号を受信する働きをし、前記信号を通信装置に出力する。
【００２７】
エレベーター特性の観点から、前記液晶モニター表示装置１５０の厚さには限界があるため、ＬＣＤによる方法を採用している。制御回路基板２０２は、本発明に係る装置ボックス２０１の後面上に形成される。
【００２８】
ハードディスク、前記ＣＰＵ１４０、前記外部通信装置１６０、前記内部通信装置１６２、及び電源供給などの前記メインメモリ１２０、前記サブメモリ１３０は、前記制御回路基板２０２上に配置される。前記制御回路基板２０２は、前記タッチ・スクリーン入力装置１００及び前記液晶モニター表示装置１５０によって必要とされる機能の計算と保存を独立して行う。
【００２９】
前記制御回路基板２０２は、エレベーターの運行データと前記前記タッチ・スクリーン入力装置１００の座標データを前記内部通信装置１６２を介して受信する働きをし、前記液晶モニター表示装置１５０によって必要とされる画像を形成する。さらに、前記制御回路基板２０２は、前記外部通信装置１６０を介して外部メモリ及び外部コンピュータと直接に通信し、インターネット通信を行い、かくしてノートブック及びインターネットを用いて、携帯メモリ及び長距離コンピュータに直接にアクセスし、前記液晶モニター表示装置１５０上に表示される画像データを入出力する。
【００３０】
本装置の上に設置される前記モニターカメラ１７１はデジタルカメラである。前記モニターカメラ１７１は、画像を外部に出力し、ボタンが登録されるたびに静止画像を撮影し、前記サブメモリ１３０が前記画像を記録するように前記撮影画像を前記サブメモリ１３０に伝送する。
【００３１】
前記スピーカー１９１の音量と前記前記液晶モニター表示装置の画面１５０の輝度と明るさは、前記タッチ・スクリーン入力装置１００または前記手操作スイッチボックス２００内に取り付けられた音量スイッチ（図示せず）によって調節される。従来型エレベーターコントローラの省電力機能とともに、不必要な電力消費を防止するために、エレベーターが指定時間使用されない場合や前記屋内照明のスイッチがオフにされる場合、本発明の装置の液晶モニター表示装置１５０のスイッチはオフにされ、外部ボタンが再び登録されると、再び前記屋内照明とともにオンになる。
【００３２】
画像を前記液晶モニター表示装置１５０上に形成するためのソフトウェアは、基本操作プログラムと専用プログラムに分かれていることが好ましい。本発明の上記装置の機能と効果を下記に詳細に説明する。
【００３３】
１）耐損傷性
従来型装置のボタン及び階を示すランプは、衝撃によって容易に破損してしまうものであった。本発明の装置では、前記液晶モニター表示装置１５０を衝撃や水分から保護するために、特殊強化ガラスを用いた前記超音波式タッチ・スクリーン入力装置１００が採用されている。さらに、前記強化ガラスの強度を増加させるため、前記強化ガラスの裏面は耐損傷性フィルムで被覆されている。
【００３４】
２）製品規格 
本装置では、エレベーターが設置される建物の全階床数に応じて一定の規格（前記ボックスのサイズ）を用いることが可能であるので、製造コストと関連部品の管理費を低減できる。
【００３５】
３）回路の簡素化
従来型装置では、電源供給配線と入出力配線は、それぞれランプ、スイッチ及びボタンのデジタル信号装置に接続されており、
すべての信号を前記ボタンからエレベーターのメインコントローラにそれぞれ伝送するためのさまざまな種類の通信装置が必要である。しかしながら、本発明の装置では、単一のタッチ・スクリーン入力装置１００及び単一の液晶モニター表示装置１５０は、ボタンの全スイッチと前記ボタンの入出力を制御するので、本発明の装置は別個ワイヤーなしに単一の内部通信装置１６２を介してエレベーターのメインコントローラと通信する。
【００３６】
４）多様なデータ供給機能
エレベーターの運行データ、現在時間、建物の各階に関連するデータなどのデータ、及び人々がエレベーターに搭乗する際に正式にアナウンスされる建物内の重要事項、特別注意事項、及び誘導マニュアルは、前記液晶モニター表示装置１５０上に文字及び画像形式で表示される。さらに、該当階ボタンが押された時と同時に事前に登録された該当階のデータは、前記液晶モニター表示装置１５０上に短時間表示されて、デパートなどの建物を最初に訪れる人がその表示データを容易に使用できるようになっている。
【００３７】
５）乗員がエレベーター内に閉じ込められた場合
乗員がエレベーター内に閉じ込められるなどの緊急事態に対処する方法は、前記液晶モニター表示装置１５０上に表示され、関連する文字/画像データが、連続的に前記液晶モニター表示装置１５０へ供給され、それによって乗員の不安を取り除くことができる。さらに、停電のためにエレベーターが故障したり機能しない場合は、天井に設置された非常灯が従来のように点灯する。しかしながら、かかる非常灯は正常に機能しない場合もある。よって、この場合、本発明の装置では、非常用バッテリーを用いて前記液晶モニター表示装置１５０のバックライトをオンにし、独立して誘導文字を出力し、それによって乗員の不安を取り除くことができる。６）問題の早急な処理・解決
エレベーターで問題が発生すると、前記ＣＰＵ１４０はエレベーターのメインコントローラからエラーコードを受信し、その問題内容を前記液晶モニター表示装置１５０上に表示する。それによって、エレベーターの問題内容が適正にエレベーター管理会社に通知されるので、前記問題の早急な処理・解決が可能である。
【００３８】
７）不必要なボタンの削除
当初エレベーターが建物内に取り付けらる際、すべての階ボタンがインストールされる。時と場合によっては、エレベーターの運行先は隔階または指定階のみに限られる。その場合、前記液晶モニター表示装置１５０上表示されている不必要な階ボタンを削除して、乗員が容易にエレベーター運行先を知ることができるようになっている.
８）運転モードに応じた画面変換機能
非常時運転（消化時運転）または機械室による手動操作では、基本ボタンは前記液晶モニター表示装置１５０から削除され、上記の特殊運転に関連する文字データとボタンが前記液晶モニター表示装置１５０上に表示されるようになり、それによって、一般乗員がエレベーターを使用することが防止され、消防士が消防活動のためにエレベーターを注意深く運転することが可能になる。
【００３９】
９）第１セキュリティ機能 
指定階がセキュリティフロアーとして設定され、前記セキュリティフロアーが 選定されると、パスワード入力ウィンドウ（図示せず）が前記液晶モニター上に入力装置１５０上に表示されるようになる。よって、パスワードが前記パスワード入力ウィンドウに入力された時のみ、該当階を登録可能である。
【００４０】
１０）第２セキュリティ機能 
前記カメラ入力装置１７０は、ボタンが画像データの入力とともに前記デジタルモニターカメラ１７１を介して登録されたときに静止画像を撮影する。次いで、前記撮影画像、時間データ、及び前記選定階に関連するデータは、前記サブメモリ１３０に保存され、外部コンピュータにインターネット経由で伝送される。かくして、本発明のタッチ・スクリーン装置では、別個のモニターカメラを設置する必要がない。
【００４１】
１１）インターホンと音声誘導装置の統合
従来型装置はインターホンスイッチのみを含み、音声によってエレベーターの運行データを誘導するための装置は、エレベーターの天井に別個設置される。しかしながら、本発明のタッチ・スクリーン装置はすべてのデータをデジタル化するので、エレベーターのメインコントローラからデータを受信し、前記インターホンスピーカー１９１から音声によって前記データを出力し、それによって別個の機器を必要とすることなしに音声データを提供することができる。乗員が階ボタンにタッチすると、選定階を知らせる音声が応答して、乗員は、タッチした階ボタンが希望の行き先階と同一であるかどうかを確認できるようになっている。
【００４２】
１２）ドア閉警報
エレベーターのドアが開くと、そのドアが閉じるまでの残存時間が前記液晶モニター表示装置１５０上に表示され、それによって乗員はそのドアが閉じることについの警告を受ける。残存時間の表示と前記ドア閉ボタン１０２の出力は交互に表示され、乗員が残存時間を示す数字をタッチすると、前記残存時間を示す数字は「０」になり、エレベーターのドアは閉じる。
【００４３】
乗員が、前記液晶モニター表示装置１５０の画面上に出力された前記ドア開ボタン１０３をタッチすると、そのドアが閉じるまでの残存時間は指定時間延長される。よって、乗員は、ドアが閉じる前に前記ドア開ボタン１０３を押すように誘導されるので、ドアの不必要な操作を防止することが可能であり、かくして省電力効果が実現され、エレベーターの寿命が助長される。
【００４４】
１３）階を示す機能待ちの乗員
エレベーターの運行方向と同方法及び逆方法の外部ボタンが登録されると、そのことが前記液晶モニター表示装置１５０の前記階ボタン部上に表示されて、エレベーター内の乗員には、目的の階に着くまでにエレベーターが停止する階数を分かるようになっている。
【００４５】
１４）広告効果
文字と画像を用いる広告は前記液晶モニター表示装置１５０上に表現され、それによってエレベーターの所有者に広告収入がもたらされる。
【００４６】
１５）インターネット通信機能 
前記液晶モニター表示装置１５０は、前記外部通信装置１６０を介してインターネットに接続されているので、気象データやニュースを乗員にリアルタイムで提供するとともに、乗員がエレベーター内に閉じ込められた際には、前記インターホン１９０を直接にエレベーター管理会社に接続して、エレベーターの問題がさらに急速に処理できるようになっている。さらに、エレベーター問題が発生しているかどうかも、自動的にエレベーター管理会社に通知される。
【００４７】
１６）多様な設計修正機能
前記液晶モニター表示装置１５０のボタンと階表示の配置と設計は、ユーザーの好みに応じてさまざまに修正され、前記ボタンのサイズは、使用頻度とエレベーターが設置される建物の特性に応じてさまざなに変えることができる。
【００４８】
１７）誤登録防止機能
従来型装置は、１方向へのエレベーター移動完了後に、逆方向への登録ボタンを消去するという機能を具備するが、エレベーターの運転中の不必要なボタンの登録は、ユーザーの混乱を生じる可能性がある。しかしながら、エレベーターの移動軌道が前記液晶モニター表示装置１５０上に表示され、エレベーターが通過した階ボタンは前記液晶モニター表示装置１５０から除去されるので、本発明のタッチ・スクリーン装置は乗員に楽しさを与え、エレベーターの移動と逆方向へのボタン登録を防止する。かくして、不必要なボタンの登録を防止することが可能である。
【００４９】
さらに、いくつかのボタンのタッチ信号が入力されると、そのそれぞれのボタンの入力時間が計算され、指定時間未満の間隔で登録されたボタンのタッチ信号は排除され、それによっていくつかのボタンの同時登録が防止され、かくして不必要なエレベーターの動作が防止される。
【００５０】
１８）プログラム修正機能
アップグレードされた新機能を有するソフトウェアが開発されると、本発明のタッチ・スクリーン装置内に従来のようにインストールされたソフトウェアはアップグレードされて、新機能が前記タッチ・スクリーン装置に適用できるようになっている。
【００５１】
本発明の好適な実施形態は例示的な目的で開示したものであって、当業者であれば、種々の変更、付加および代替を添付の特許請求の範囲で開示した本発明の範囲および真の趣旨から逸脱することなく行い得ることを理解されるであろう。
【産業上の利用可能性】
【００５２】
上記説明から明白なように、本発明は、スイッチ操作要件と階床表示要件を満たし、多様な文字/画像データを提供し、さらに、従来型装置によっては達成できないその他のデジタル機能をタッチ・スクリーンを通して提供して、乗員がエレベーターを便利に使用できるようになっているエレベーター制御用タッチ・スクリーン装置を提供する。
【図面の簡単な説明】
【００５３】
本発明の上記およびその他の目的、特性及びその他の利点は下記の添付図面と併せた詳細な説明によってさらに明確に理解されるであろう。
【図１】従来型エレベーター制御用装置の正面図。
【図２】本発明に係るエレベーター制御用タッチ・スクリーン装置のブロック図。
【図３】本発明の実施形態に係るエレベーター制御用タッチ・スクリーン装置の正面図。
【図４】図３のタッチ・スクリーン装置の側面図。
【図１】
2008532892.tif 000003
【図２】
2008532892.tif 000004
【図３】
2008532892.tif 000005
【図４】
2008532892.tif 000006
【国際調査報告】
2008532892.tif 000007